Podtech/llm-jp-corpus-v4-ja_patent huggingface dataset:
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
可撓性および伸縮性を有して所定の温度以上に加熱されると膨張する熱膨張層と、前記熱膨張層を一面上に積層する基材と、を備え、吸収した光を熱に変換して放出する光熱変換層を少なくとも一方の面に形成される立体造形物形成シートであって、
前記基材は、少なくとも前記一面側に水溶性材料を含有し、前記熱膨張層から除去することが可能であることを特徴とする立体造形物形成シート。
【請求項２】
前記熱膨張層は、エチレン−酢酸ビニル共重合体およびポリ塩化ビニルの少なくとも一種を含有することを特徴とする請求項１に記載の立体造形物形成シート。
【請求項３】
所定の温度以上に加熱されることにより膨張する熱膨張層を備え、一面側の表面に凹凸を形成された立体造形物であって、
可撓性および伸縮性を有することを特徴とする立体造形物。
【請求項４】
他面側に接着層を備えることを特徴とする請求項３に記載の立体造形物。
【請求項５】
表面に凹凸を有する立体造形物の製造方法であって、
水溶性材料を含有する基材の表面に、所定の温度以上に加熱されると膨張する熱膨張層を形成する熱膨張層形成工程と、
吸収した光を熱に変換して放出する光熱変換層を、前記基材の裏面または前記熱膨張層の表面の少なくとも一方に形成する光熱変換層印刷工程と、
光を照射して前記光熱変換層に到達させて、前記光熱変換層を形成された領域において前記熱膨張層を膨張させる光照射工程と、
前記基材を前記熱膨張層の裏面から除去する除去工程と、を順に行うことを特徴とする立体造形物の製造方法。
【請求項６】
前記光熱変換層は水溶性であり、
前記除去工程において、前記基材を除去すると共に前記光熱変換層を除去することを特徴とする請求項５に記載の立体造形物の製造方法。
【請求項７】
前記除去工程は、水を用いて除去することを特徴とする請求項５または請求項６に記載の立体造形物の製造方法。
【請求項８】
表面に凹凸を有する立体造形物の製造方法であって、
水溶性材料を含有する基材の表面に、所定の温度以上に加熱されると膨張する熱膨張層を形成する熱膨張層形成工程と、
吸収した光を熱に変換して放出する光熱変換層を、前記基材の裏面または前記熱膨張層の表面の少なくとも一方に形成する光熱変換層印刷工程と、
光を照射して前記光熱変換層に到達させて、前記光熱変換層を形成された領域において前記熱膨張層を膨張させる光照射工程と、
前記基材を前記熱膨張層の裏面から除去する除去工程と、
前記熱膨張層の裏面を物品の表面に貼付する貼付工程と、を順に行うことを特徴とする立体造形物の製造方法。
【請求項９】
前記熱膨張層形成工程よりも後に、前記熱膨張層の表面に画像を形成する画像印刷工程をさらに行う請求項８に記載の立体造形物の製造方法。
【請求項１０】
前記光熱変換層は水溶性であり、
前記除去工程において、前記基材を除去すると共に前記光熱変換層を除去することを特徴とする請求項８または請求項９に記載の立体造形物の製造方法。
【請求項１１】
前記除去工程は、水を用いて除去することを特徴とする請求項８乃至請求項１０のいずれか一項に記載の立体造形物の製造方法。
【手続補正２】
【補正対象書類名】明細書
【補正対象項目名】０００７
【補正方法】変更
【補正の内容】
【０００７】
上記課題を解決するため、本発明に係る立体造形物形成シートは、可撓性および伸縮性を有して所定の温度以上に加熱されると膨張する熱膨張層と、前記熱膨張層を一面上に積層する基材と、を備え、吸収した光を熱に変換して放出する光熱変換層を少なくとも一方の面に形成され、前記基材が少なくとも前記一面側に水溶性材料を含有し、前記熱膨張層から除去することが可能な構成とする。
【手続補正３】
【補正対象書類名】明細書
【補正対象項目名】０００９
【補正方法】変更
【補正の内容】
【０００９】
本発明に係る立体造形物の製造方法は、表面に凹凸を有する立体造形物の製造方法であって、所定の温度以上に加熱されると膨張する熱膨張層を、水溶性材料を含有する基材の表面に形成する熱膨張層形成工程と、吸収した光を熱に変換して放出する光熱変換層を、前記基材の裏面または前記熱膨張層の表面の少なくとも一方に形成する光熱変換層印刷工程と、光を照射して前記光熱変換層に到達させて、前記光熱変換層を形成された領域において前記熱膨張層を膨張させる光照射工程と、前記基材を前記熱膨張層の裏面から除去する除去工程と、を順に行う。
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
基部により支持された複数の指部を互いに接近する方向または互いに離間する方向に相対変位させる把持装置において、
前記複数の指部の内、一部の指部に設けられ、前記一部の指部を前記基部に対して旋回させ、前記一部の指部が相対変位する方向を変更する旋回軸を備えており、
前記旋回軸のそれぞれには波動歯車変速機が設けられている、
ことを特徴とする把持装置。
【請求項２】
請求項１に記載の把持装置において、
回転駆動源と、
前記回転駆動源からの回転を前記旋回軸に伝達する伝達装置と、を備え、
前記波動歯車変速機は、前記伝達装置からの回転を変速し前記旋回軸を回転させる、
ことを特徴とする把持装置。
【請求項３】
請求項２に記載の把持装置において、
前記伝達装置は、前記回転駆動源の回転を、複数の前記波動歯車変速機に伝達する、
ことを特徴とする把持装置。
【請求項４】
請求項２または３に記載の把持装置において、
前記伝達装置は、複数の前記旋回軸のうち、特定の２つの旋回軸を互いに逆方向に回転させるように前記回転駆動源の回転を伝達する、
ことを特徴とする把持装置。
【請求項５】
請求項４に記載の把持装置において、
前記特定の２つの旋回軸にそれぞれ結合された２つの指部を互いに逆方向に旋回させることにより、前記２つの指部のそれぞれの相対変位の方向が、前記２つの旋回軸の中点を通り前記２つの旋回軸を結ぶ直線と直交する基準線に対して対称的な角度を持つ、
ことを特徴とする把持装置。
【請求項６】
請求項２から５のいずれか１項に記載の把持装置において、
前記伝達装置は、歯車である、
ことを特徴とする把持装置。
【請求項７】
請求項１から６のいずれか１項に記載の把持装置をロボットアームに備えたロボット装置。
【請求項８】
請求項７に記載のロボット装置により物品を製造することを特徴とする物品の製造方法。
【請求項９】
基部により支持された複数の指部を互いに接近する方向または互いに離間する方向に相対変位させる把持装置の制御方法であって、
前記複数の指部の内、一部の指部には、前記一部の指部を前記基部に対して旋回させ、前記一部の指部が相対変位する方向を変更する旋回軸が設けられ、
前記旋回軸のそれぞれには波動歯車変速機が設けられており、
制御装置が、
前記旋回軸によって、前記一部の指部の旋回角度を制御する旋回制御工程と、
前記複数の指部を相対変位させ、対象物を把持、または解放する把持制御工程と、を実行する、
ことを特徴とする制御方法。
【請求項１０】
請求項９に記載の各工程を実行させるための制御プログラム。
【請求項１１】
請求項１０に記載の制御プログラムを格納した、コンピュータで読み取り可能な記録媒体。
【手続補正２】
【補正対象書類名】明細書
【補正対象項目名】発明の名称
【補正方法】変更
【補正の内容】
【発明の名称】把持装置、ロボット装置、制御方法、制御プログラム、記録媒体、および物品の製造方法
【手続補正３】
【補正対象書類名】明細書
【補正対象項目名】０００９
【補正方法】変更
【補正の内容】
【０００９】
本発明は、基部により支持された複数の指部を互いに接近する方向または互いに離間する方向に相対変位させる把持装置において、前記複数の指部の内、一部の指部に設けられ、前記一部の指部を前記基部に対して旋回させ、前記一部の指部が相対変位する方向を変更する旋回軸を備えており、前記旋回軸のそれぞれには波動歯車変速機が設けられている、ことを特徴とする把持装置である。
また、本発明は、基部により支持された複数の指部を互いに接近する方向または互いに離間する方向に相対変位させる把持装置の制御方法であって、前記複数の指部の内、一部の指部には、前記一部の指部を前記基部に対して旋回させ、前記一部の指部が相対変位する方向を変更する旋回軸が設けられ、前記旋回軸のそれぞれには波動歯車変速機が設けられており、制御装置が、前記旋回軸によって、前記一部の指部の旋回角度を制御する旋回制御工程と、前記複数の指部を相対変位させ、対象物を把持、または解放する把持制御工程と、を実行する、ことを特徴とする制御方法である。
【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
ログアウトにかかる指示によりログインしているユーザをログアウトする印刷装置であって、
印刷に係るアプリケーションの処理状況を管理する管理手段と、
前記管理手段によって管理された印刷に係るアプリケーションの処理が完了すると、ログアウトにかかる指示を受けることなく、ログインしているユーザをログアウトする処理終了手段と、
を備えたことを特徴とする印刷装置。
【請求項２】
前記管理手段は、印刷に係る複数のアプリケーションの処理状況を管理し、
前記処理終了手段は、前記管理手段によって管理される複数のアプリケーションの処理が完了すると、ログアウトにかかる指示を受けることなく、ログインしているユーザをログアウトすることを特徴とする請求項１に記載の印刷装置。
【請求項３】
ユーザのログイン中に、前記ユーザとは異なるユーザのログインにかかる指示を受付ける受付手段と、
前記受付手段によって指示を受付けた際に、前記管理手段によって管理されるアプリケーションが処理中である場合、当該異なるユーザのログインを拒否する拒否手段と、
を備えたことを特徴とする請求項１または２に記載の印刷装置。
【請求項４】
ユーザからの印刷指示を受付けて保存部の印刷文書の印刷を行う印刷手段と、
前記管理手段は、前記印刷手段によって印刷指示を受付けたことにより、ユーザの未印刷の印刷文書が保存部に存在しない場合は、当該印刷に係るアプリケーションの処理状況を完了したものとして管理することを特徴とする請求項１乃至３の何れか１項に記載の印刷装置。
【請求項５】
前記管理手段は、前記保存部に保存されるユーザの未印刷の印刷文書が、保存されてから所定時間経過している場合は、当該印刷に係るアプリケーションの処理状況を完了したものとして管理することを特徴とする請求項４に記載の印刷装置。
【請求項６】
前記印刷に係るアプリケーションは、印刷ジョブの出力を管理するアプリケーションであり、
前記処理終了手段は、前記管理手段によって管理された印刷ジョブの出力を管理するアプリケーションの処理が完了すると、ログアウトにかかる指示を受けることなく、ログインしているユーザをログアウトすることを特徴とする請求項１乃至５の何れか１項に記載の印刷装置。
【請求項７】
前記管理手段は、前記印刷ジョブの出力を管理する複数のアプリケーションの処理状況を管理し、
前記処理終了手段は、任意のアプリケーションによって印刷ジョブの出力が完了した後、前記任意のアプリケーションとは異なるアプリケーションによる印刷ジョブの出力が完了すると、ログアウトにかかる指示を受けることなく、ログインしているユーザのログアウトを行うことを特徴とする請求項６に記載の印刷装置。
【請求項８】
ユーザの認証を行う情報処理装置と通信可能なように接続された印刷装置とからなる印刷システムであって、
前記印刷装置は、
ユーザ情報の入力を受付ける入力手段と、
ログアウトにかかる指示によりログインしているユーザをログアウトする終了手段と、
印刷に係るアプリケーションの処理状況を管理する管理手段と、
前記情報処理装置の認証手段によって認証がなされたユーザをログインさせる開始手段と、
を備え、
前記情報処理装置は、
前記入力手段によって入力されたユーザ情報を用いて当該ユーザの認証を行う認証手段を備え、
前記終了手段は、前記管理手段によって管理された印刷に係るアプリケーションの処理が完了すると、ログアウトにかかる指示を受けることなく、ログインしているユーザをログアウトすることを特徴とする印刷システム。
【請求項９】
ログアウトにかかる指示によりログインしているユーザをログアウトする印刷装置の制御方法であって、
前記印刷装置は、
印刷に係るアプリケーションの処理状況を管理する管理ステップと、
前記管理ステップによって管理された印刷に係るアプリケーションの処理が完了すると、ログアウトにかかる指示を受けることなく、ログインしているユーザをログアウトする処理終了ステップと、
を実行することを特徴とする印刷装置の制御方法。
【請求項１０】
ログアウトにかかる指示によりログインしているユーザをログアウトする印刷装置で読取実行可能なプログラムであって、
前記印刷装置を、
印刷に係るアプリケーションの処理状況を管理する管理手段と、
前記管理手段によって管理された印刷に係るアプリケーションの処理が完了すると、ログアウトにかかる指示を受けることなく、ログインしているユーザをログアウトする処理終了手段と、
して機能させるためのプログラム。
【請求項１１】
ユーザの認証を行う情報処理装置と通信可能なように接続された印刷装置とからなる印刷システムの制御方法であって、
前記印刷装置は、
ユーザ情報の入力を受付ける入力ステップと、
ログアウトにかかる指示によりログインしているユーザをログアウトする終了ステップと、
印刷に係るアプリケーションの処理状況を管理する管理ステップと、
前記情報処理装置の認証ステップによって認証がなされたユーザをログインさせる開始ステップと、
を実行し、
前記情報処理装置は、
前記入力ステップによって入力されたユーザ情報を用いて当該ユーザの認証を行う認証ステップを備え、
前記終了ステップは、前記管理ステップによって管理された印刷に係るアプリケーションの処理が完了すると、ログアウトにかかる指示を受けることなく、ログインしているユーザのログアウトを実行することを特徴とする印刷システムの制御方法。
【手続補正２】
【補正対象書類名】明細書
【補正対象項目名】００１２
【補正方法】変更
【補正の内容】
【００１２】
そこで、本発明では、ユーザのセキュリティの向上を図ることが可能な仕組みを提供することを目的とする。
【手続補正３】
【補正対象書類名】明細書
【補正対象項目名】００１３
【補正方法】変更
【補正の内容】
【００１３】
上記目的を達成するための本発明は、ログアウトにかかる指示によりログインしているユーザをログアウトする印刷装置であって、印刷に係るアプリケーションの処理状況を管理する管理手段と、前記管理手段によって管理された印刷に係るアプリケーションの処理が完了すると、ログアウトにかかる指示を受けることなく、ログインしているユーザをログアウトする処理終了手段と、を備えたことを特徴とする印刷装置である。
【手続補正４】
【補正対象書類名】明細書
【補正対象項目名】００１４
【補正方法】変更
【補正の内容】
【００１４】
本発明によれば、ユーザのセキュリティの向上を図ることができる、という効果を奏する。
【手続補正書】
【提出日】令和1年11月20日(2019.11.20)
【手続補正１】
【補正対象書類名】明細書
【補正対象項目名】００５７
【補正方法】変更
【補正の内容】
【００５７】
画像処理部１３４は例えば画像処理プロセッサを有する電子回路である。バッファ１３６は、例えば、ＲＡＭ、ハードディスクやＳＳＤである。通信Ｉ／Ｆ１３５は上位装置ＨＣ２との通信を行い、通信Ｉ／Ｆ１３７はエンジンコントローラ１３Ｂとの通信を行う。図４において破線矢印は、画像データの処理の流れを例示している。上位装置ＨＣ２から通信Ｉ／Ｆ１３５を介して受信された画像データは、バッファ１３６に蓄積される。画像処理部１３４はバッファ１３６から画像データを読み出し、読み出した画像データに所定の画像処理を施して、再びバッファ１３６に格納する。バッファ１３６に格納された画像処理後の画像データは、プリントエンジンが用いる記録データとして、通信Ｉ／Ｆ１３７からエンジンコントローラ１３Ｂへ送信される。
【手続補正２】
【補正対象書類名】図面
【補正対象項目名】図５
【補正方法】変更
【補正の内容】
【図５】
2018089936.tif 000001
【手続補正書】
【提出日】令和2年5月18日(2020.5.18)
【手続補正１】
【補正対象書類名】明細書
【補正対象項目名】０００１
【補正方法】変更
【補正の内容】
【０００１】
製本するために印刷された各シートのうち、本を構成する所定のシートを排除対象として特定することが可能な情報処理システム、その制御方法、及びプログラムに関する。
【手続補正２】
【補正対象書類名】明細書
【補正対象項目名】０００９
【補正方法】変更
【補正の内容】
【０００９】
そこで、本発明の情報処理システムは、製本するために印刷された各シートのうち、本を構成する所定のシートを排除対象として特定することが可能な仕組みを提供することを目的とする。
【手続補正３】
【補正対象書類名】明細書
【補正対象項目名】００１０
【補正方法】変更
【補正の内容】
【００１０】
上記の目的を達成するために、本発明の情報処理システムは、製本するために印刷された各シートのうち所定のシートを排除手段が排除するための情報処理システムであって、印刷装置により印刷された印刷物のいずれかの頁のシートに含まれる検査情報の印刷状態を検査する検査手段と、前記検査手段により所定の検査結果であったシートを含む本を構成する各シートを前記排除手段で排除する対象として特定するための情報を出力する出力手段と、を備えることを特徴とする。
【手続補正４】
【補正対象書類名】明細書
【補正対象項目名】００１１
【補正方法】変更
【補正の内容】
【００１１】
本発明の情報処理システムによれば、製本するために印刷された各シートのうち、本を構成する所定のシートを排除対象として特定することが可能となる。
【手続補正５】
【補正対象書類名】特許請求の範囲
【補正対象項目名】全文
【補正方法】変更
【補正の内容】
【特許請求の範囲】
【請求項１】
製本するために印刷された各シートのうち所定のシートを排除手段が排除するための情報処理システムであって、
印刷装置により印刷された印刷物のいずれかの頁のシートに含まれる検査情報の印刷状態を検査する検査手段と、
前記検査手段により所定の検査結果であったシートを含む本を構成する各シートを前記排除手段で排除する対象として特定するための情報を出力する出力手段と、
を備えることを特徴とする情報処理システム。
【請求項２】
前記シートのいずれかの頁に、本を構成する単位で検査可能な検査情報を含む印刷データを生成する印刷データ生成手段を更に備え、
前記検査手段は、前記印刷データ生成手段で生成された印刷データが印刷された印刷物を検査し、
前記出力手段は、前記検査手段で検査された前記印刷物の検査結果のうち、１つでも印刷不良を示す検査結果が含まれている場合には、前記印刷物を排除する対象として前記本を構成する単位ごとに特定可能な情報を出力すること
を特徴とする請求項１に記載の情報処理システム。
【請求項３】
前記検査情報に対する前記検査結果が、印刷不良を示す検査結果でない場合には、当該印刷物を製本工程に進める製本制御手段
を更に備えることを特徴とする請求項１または２に記載の情報処理システム。
【請求項４】
前記排除手段は、前記出力手段で出力された情報を用いて複数の印刷物をまとめて排除すること
を特徴とする請求項１乃至３のいずれか１項に記載の情報処理システム。
【請求項５】
前記検査手段は、前記印刷物の最初の頁または最終の頁の前記検査情報を検査すること
を特徴とする請求項１乃至４のいずれか１項に記載の情報処理システム。
【請求項６】
製本するために印刷された各シートのうち所定のシートを排除手段が排除するための情報処理システムの制御方法であって、
前記情報処理システムが、
印刷装置により印刷された印刷物のいずれかの頁のシートに含まれる検査情報の印刷状態を検査する検査ステップと、
前記検査ステップにより所定の検査結果であったシートを含む本を構成する各シートを前記排除手段で排除する対象として特定するための情報を出力する出力ステップと、
を含むことを特徴とする情報処理システムの制御方法。
【請求項７】
コンピュータを、請求項１乃至５のいずれか１項に記載の情報処理装置として機能させるためのプログラム。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
第１入球口、及び、第２入球口と、
前記第１入球口への入球に基づいて当たりであるかの第１判定処理を実行可能であり、前記第２入球口への入球に基づいて当たりであるかの第２判定処理を実行可能な当たり判定手段と、
前記第１判定処理が行われると、その判定結果を示す第１識別図柄を変動表示を経て停止表示し、前記第２判定処理が行われると、その判定結果を示す第２識別図柄を変動表示を経て停止表示する識別図柄表示手段と、
前記第１判定処理が行われると、前記第１識別図柄の変動表示の時間（以下「第１変動時間」という）を決定し、前記第２判定処理が行われると、前記第２識別図柄の変動表示の時間（以下「第２変動時間」という）を決定する変動時間決定手段と、
非時短状態、又は前記非時短状態よりも前記第１変動時間又は前記第２変動時間が短くなり易い時短状態に制御可能な遊技状態制御手段と、
演出を制御可能な演出制御手段と、を備える遊技機において、
前記時短状態の終了条件には、当該時短状態に制御されてから前記第２識別図柄の変動表示の回数が所定の実行回数に至る終了条件が含まれていて、
前記変動時間決定手段は、
前記時短状態に制御されてから前記第２識別図柄の変動表示の回数が規定回数以下であると、特定の前記第２変動時間を決定しない一方、
前記時短状態に制御されてから前記第２識別図柄の変動表示の回数が前記規定回数を超えると、前記特定の第２変動時間を決定可能であり、
前記時短状態から前記非時短状態に移行してから前記第２識別図柄の変動表示の回数が特定回数以下であると、特別の前記第２変動時間を決定可能である一方、
前記時短状態から前記非時短状態に移行してから前記第２識別図柄の変動表示の回数が前記特定回数を超えると、前記特別の第２変動時間を決定することがなく、
前記演出制御手段は、
前記時短状態に制御されてから前記第２識別図柄の変動表示の回数が前記規定回数以下であると、前記第２変動時間に基づいて特別演出を実行しない一方、
前記時短状態に制御されてから前記第２識別図柄の変動表示の回数が前記規定回数を超えると、前記特定の第２変動時間に基づいて前記特別演出を実行可能であり、
前記非時短状態に移行してから前記第２識別図柄の変動表示の回数が前記特定回数以下であると、前記特別の第２変動時間に基づいて特殊演出を実行可能である一方、
前記非時短状態に移行してから前記第２識別図柄の変動表示の回数が前記特定回数を超えると、前記第２変動時間に基づいて前記特殊演出を実行しないことを特徴とする遊技機。
【手続補正２】
【補正対象書類名】明細書
【補正対象項目名】０００６
【補正方法】変更
【補正の内容】
【０００６】
そこで近頃のパチンコ遊技機の中には、時短状態の終了条件として、第２変動回数が上限実行回数に至るという終了条件を設けているものがある。これにより時短状態において、仮にイレギュラー等により第１特別図柄の変動表示が行われても、第２変動回数が上限実行回数に至る前に時短状態を終了させないことが可能になる。つまり時短状態において、第２特別図柄の抽選を上限実行回数分だけ確保することが可能になる。
【手続補正３】
【補正対象書類名】明細書
【補正対象項目名】０００７
【補正方法】変更
【補正の内容】
【０００７】
ここで例えば時短状態が終了する前に、特殊演出を実行しようとする場合がある。この場合、第２識別図柄の変動表示の回数が規定回数を超えたときに、第２識別図柄の変動表示の時間（第２変動時間）を利用して、特殊演出を実行することが考えられる。しかしながら、時短状態において、イレギュラー等により第１識別図柄が変動表示してしまうと、第２識別図柄の変動表示の回数が規定回数を超えたときに、第２変動時間を特定の第２変動時間に決定できずに、特別演出を実行できないおそれがある。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明は上記事情に鑑みてなされたものである。すなわちその課題とするところは、時短状態において第２識別図柄の変動表示の回数が規定回数を超えたときに、特別演出を実行可能な遊技機を提供することにある。
【手続補正６】
【補正対象書類名】明細書
【補正対象項目名】００１０
【補正方法】変更
【補正の内容】
【００１０】
本発明の遊技機は、
第１入球口、及び、第２入球口と、
前記第１入球口への入球に基づいて当たりであるかの第１判定処理を実行可能であり、前記第２入球口への入球に基づいて当たりであるかの第２判定処理を実行可能な当たり判定手段と、
前記第１判定処理が行われると、その判定結果を示す第１識別図柄を変動表示を経て停止表示し、前記第２判定処理が行われると、その判定結果を示す第２識別図柄を変動表示を経て停止表示する識別図柄表示手段と、
前記第１判定処理が行われると、前記第１識別図柄の変動表示の時間（以下「第１変動時間」という）を決定し、前記第２判定処理が行われると、前記第２識別図柄の変動表示の時間（以下「第２変動時間」という）を決定する変動時間決定手段と、
非時短状態、又は前記非時短状態よりも前記第１変動時間又は前記第２変動時間が短くなり易い時短状態に制御可能な遊技状態制御手段と、
演出を制御可能な演出制御手段と、を備える遊技機において、
前記時短状態の終了条件には、当該時短状態に制御されてから前記第２識別図柄の変動表示の回数が所定の実行回数に至る終了条件が含まれていて、
前記変動時間決定手段は、
前記時短状態に制御されてから前記第２識別図柄の変動表示の回数が規定回数以下であると、特定の前記第２変動時間を決定しない一方、
前記時短状態に制御されてから前記第２識別図柄の変動表示の回数が前記規定回数を超えると、前記特定の第２変動時間を決定可能であり、
前記時短状態から前記非時短状態に移行してから前記第２識別図柄の変動表示の回数が特定回数以下であると、特別の前記第２変動時間を決定可能である一方、
前記時短状態から前記非時短状態に移行してから前記第２識別図柄の変動表示の回数が前記特定回数を超えると、前記特別の第２変動時間を決定することがなく、
前記演出制御手段は、
前記時短状態に制御されてから前記第２識別図柄の変動表示の回数が前記規定回数以下であると、前記第２変動時間に基づいて特別演出を実行しない一方、
前記時短状態に制御されてから前記第２識別図柄の変動表示の回数が前記規定回数を超えると、前記特定の第２変動時間に基づいて前記特別演出を実行可能であり、
前記非時短状態に移行してから前記第２識別図柄の変動表示の回数が前記特定回数以下であると、前記特別の第２変動時間に基づいて特殊演出を実行可能である一方、
前記非時短状態に移行してから前記第２識別図柄の変動表示の回数が前記特定回数を超えると、前記第２変動時間に基づいて前記特殊演出を実行しないことを特徴とする遊技機である。
【手続補正７】
【補正対象書類名】明細書
【補正対象項目名】００１１
【補正方法】変更
【補正の内容】
【００１１】
本発明の遊技機によれば、時短状態において第２識別図柄の変動表示の回数が規定回数を超えたときに、特別演出を実行可能である。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
第１入球口、及び、第２入球口と、
前記第２入球口への入球に基づいて取得された判定情報を所定の上限数まで記憶可能な記憶手段と、
前記第１入球口への入球に基づいて当たりであるかの第１判定処理を実行可能であり、前記第２入球口への入球に基づいて当たりであるかの第２判定処理を実行可能な当たり判定手段と、
前記第１判定処理が行われると、その判定結果を示す第１識別図柄を変動表示を経て停止表示し、前記第２判定処理が行われると、その判定結果を示す第２識別図柄を変動表示を経て停止表示する識別図柄表示手段と、
前記第１判定処理が行われると、前記第１識別図柄の変動表示の時間（以下「第１変動時間」という）を決定し、前記第２判定処理が行われると、前記第２識別図柄の変動表示の時間（以下「第２変動時間」という）を決定する変動時間決定手段と、
非時短状態、又は前記非時短状態よりも前記第１変動時間又は前記第２変動時間が短くなり易い時短状態に制御可能な遊技状態制御手段と、
演出を制御可能な演出制御手段と、を備える遊技機において、
前記時短状態の終了条件には、当該時短状態に制御されてから前記第２識別図柄の変動表示の回数が所定の実行回数に至る終了条件が含まれていて、
前記変動時間決定手段は、
前記時短状態から前記非時短状態に移行してから前記第２識別図柄の変動表示の回数が前記上限数以下であると、特別の前記第２変動時間を決定可能である一方、
前記時短状態から前記非時短状態に移行してから前記第２識別図柄の変動表示の回数が前記上限数を超えると、前記特別の第２変動時間を決定することがなく、
前記演出制御手段は、
前記非時短状態に移行してから前記第２識別図柄の変動表示の回数が前記上限数以下であると、前記特別の第２変動時間に基づいて特殊演出を実行可能である一方、
前記非時短状態に移行してから前記第２識別図柄の変動表示の回数が前記上限数を超えると、前記第２変動時間に基づいて前記特殊演出を実行しないことを特徴とする遊技機。
【手続補正２】
【補正対象書類名】明細書
【補正対象項目名】０００６
【補正方法】変更
【補正の内容】
【０００６】
そこで近頃のパチンコ遊技機の中には、時短状態の終了条件として、第２変動回数が上限実行回数に至るという終了条件を設けているものがある。これにより時短状態において、仮にイレギュラー等により第１特別図柄（第１識別図柄）の変動表示が行われても、第２変動回数が上限実行回数に至る前に時短状態を終了させないことが可能になる。つまり時短状態において、第２特別図柄（第２識別図柄）の抽選を上限実行回数分だけ確保することが可能になる。
【手続補正３】
【補正対象書類名】明細書
【補正対象項目名】０００７
【補正方法】変更
【補正の内容】
【０００７】
ここで、時短状態から非時短状態に移行した後、第２特別図柄の変動表示において、特殊演出を実行しようとする場合がある。この場合、非時短状態に移行した後、第２特別図柄の変動表示が保留されている数（所定の上限数）に限って、第２特別図柄の変動時間（第２変動時間）を特別の第２変動時間に決定して、特殊演出を実行することが考えられる。しかしながら従来においては、大当たり遊技の終了時点からの合計変動回数に基づいて、その特別な第２変動時間を決定するようにしていた。しかしながら、上記したように、時短状態でイレギュラー等により第１特別図柄が変動表示した場合に、時短状態が終了するまでの合計変動回数が異なってくる。そうなると上述したように、大当たり遊技の終了時点からの合計変動回数に基づいて、第２変動時間を決定する方法では、非時短状態に移行した後、第２特別図柄の変動表示の回数が所定の上限数以下に限って、特殊演出を実行できないおそれがある。
【手続補正４】
【補正対象書類名】明細書
【補正対象項目名】０００８
【補正方法】変更
【補正の内容】
【０００８】
本発明は上記事情に鑑みてなされたものである。すなわちその課題とするところは、非時短状態に移行した後、第２識別図柄の変動表示の回数が所定の上限数以下において、特殊演出を実行可能な遊技機を提供することにある。
【手続補正５】
【補正対象書類名】明細書
【補正対象項目名】０００９
【補正方法】変更
【補正の内容】
【０００９】
本発明の遊技機は、
第１入球口、及び、第２入球口と、
前記第２入球口への入球に基づいて取得された判定情報を所定の上限数まで記憶可能な記憶手段と、
前記第１入球口への入球に基づいて当たりであるかの第１判定処理を実行可能であり、前記第２入球口への入球に基づいて当たりであるかの第２判定処理を実行可能な当たり判定手段と、
前記第１判定処理が行われると、その判定結果を示す第１識別図柄を変動表示を経て停止表示し、前記第２判定処理が行われると、その判定結果を示す第２識別図柄を変動表示を経て停止表示する識別図柄表示手段と、
前記第１判定処理が行われると、前記第１識別図柄の変動表示の時間（以下「第１変動時間」という）を決定し、前記第２判定処理が行われると、前記第２識別図柄の変動表示の時間（以下「第２変動時間」という）を決定する変動時間決定手段と、
非時短状態、又は前記非時短状態よりも前記第１変動時間又は前記第２変動時間が短くなり易い時短状態に制御可能な遊技状態制御手段と、
演出を制御可能な演出制御手段と、を備える遊技機において、
前記時短状態の終了条件には、当該時短状態に制御されてから前記第２識別図柄の変動表示の回数が所定の実行回数に至る終了条件が含まれていて、
前記変動時間決定手段は、
前記時短状態から前記非時短状態に移行してから前記第２識別図柄の変動表示の回数が前記上限数以下であると、特別の前記第２変動時間を決定可能である一方、
前記時短状態から前記非時短状態に移行してから前記第２識別図柄の変動表示の回数が前記上限数を超えると、前記特別の第２変動時間を決定することがなく、
前記演出制御手段は、
前記非時短状態に移行してから前記第２識別図柄の変動表示の回数が前記上限数以下であると、前記特別の第２変動時間に基づいて特殊演出を実行可能である一方、
前記非時短状態に移行してから前記第２識別図柄の変動表示の回数が前記上限数を超えると、前記第２変動時間に基づいて前記特殊演出を実行しないことを特徴とする遊技機である。
【手続補正６】
【補正対象書類名】明細書
【補正対象項目名】００１０
【補正方法】変更
【補正の内容】
【００１０】
本発明の遊技機によれば、非時短状態に移行した後、第２識別図柄の変動表示の回数が所定の上限数以下において、特殊演出を実行可能である。
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
遊技領域の第１流路に配置されている第１入球口と、
前記遊技領域のうち前記第１流路と異なる第２流路に配置されている第２入球口及び特別入賞口と、
所定の判定条件の成立に基づいて大当たり又は小当たりであるかの判定処理を実行可能な遊技制御手段と、
演出を制御可能な演出制御手段と、を備え、
前記遊技制御手段は、
前記判定処理が行われると、その判定処理の結果を示す識別図柄を変動表示を経て停止表示可能であり、
前記判定処理で小当たりと判定すると、前記特別入賞口を開放可能な小当たり遊技を実行可能であり、
通常遊技状態又は前記通常遊技状態よりも遊技者に有利な特典遊技状態に制御可能であり、
前記演出制御手段は、
前記通常遊技状態では、前記判定処理で小当たりと判定されたことに基づく前記識別図柄が停止表示されてから前記特別入賞口の開放を示唆する示唆演出を開始可能である一方、前記特典遊技状態では、前記判定処理で小当たりと判定されたことに基づく前記識別図柄の変動表示中に前記示唆演出を開始可能であることを特徴とする遊技機。
【手続補正２】
【補正対象書類名】明細書
【補正対象項目名】０００２
【補正方法】変更
【補正の内容】
【０００２】
遊技機の一例であるパチンコ遊技機では、一般的に、遊技領域に配されている入球口への入球に基づいて、判定情報（各種乱数値）が取得される。そして取得された判定情報に基づいて、大当たりであるかの当否判定が行われる。この当否判定により大当たりに当選すれば、大当たり当選を示す識別図柄が変動表示を経て停止表示される。その後に、遊技者に有利な大当たり遊技が実行されるようになっている。
【手続補正３】
【補正対象書類名】明細書
【補正対象項目名】０００３
【補正方法】変更
【補正の内容】
【０００３】
例えば特開２０１３−２３６８５１号公報に記載の遊技機では、取得された判定情報に基づいて、大当たりであるかの当否判定の他に、小当たりであるかの当否判定も実行可能になっている。小当たりに当選した場合、小当たり当選を示す識別図柄が変動表示を経て停止表示される。その後に、遊技領域に配されている特別入賞口が開放する小当たり遊技が実行される。従って、小当たり遊技の実行中に、特別入賞口に遊技球を入賞（入球）させることで、遊技者は所定の特典（賞球等）を獲得することが可能である。
【手続補正４】
【補正対象書類名】明細書
【補正対象項目名】０００４
【補正方法】変更
【補正の内容】
【０００４】
【特許文献１】特開２０１３−２３６８５１号公報
【手続補正５】
【補正対象書類名】明細書
【補正対象項目名】０００５
【補正方法】変更
【補正の内容】
【０００５】
ここで小当たり遊技では、特別入賞口がごく短時間（最大で１．８秒）だけしか開放しない。そしてほとんどの遊技者は小当たりに当選しても、いつから小当たり遊技が開始されたのかを正確に把握していない。従って、小当たり遊技により開放される特別入賞口への入賞を逃すおそれがあった。
【手続補正６】
【補正対象書類名】明細書
【補正対象項目名】０００６
【補正方法】変更
【補正の内容】
【０００６】
本発明は上記事情に鑑みてなされたものである。すなわちその課題とするところは、小当たり遊技により開放される特別入賞口への入賞を逃し難くすることが可能な遊技機を提供することにある。
【手続補正７】
【補正対象書類名】明細書
【補正対象項目名】０００７
【補正方法】変更
【補正の内容】
【０００７】
本発明の遊技機は、
遊技領域の第１流路に配置されている第１入球口と、
前記遊技領域のうち前記第１流路と異なる第２流路に配置されている第２入球口及び特別入賞口と、
所定の判定条件の成立に基づいて大当たり又は小当たりであるかの判定処理を実行可能な遊技制御手段と、
演出を制御可能な演出制御手段と、を備え、
前記遊技制御手段は、
前記判定処理が行われると、その判定処理の結果を示す識別図柄を変動表示を経て停止表示可能であり、
前記判定処理で小当たりと判定すると、前記特別入賞口を開放可能な小当たり遊技を実行可能であり、
通常遊技状態又は前記通常遊技状態よりも遊技者に有利な特典遊技状態に制御可能であり、
前記演出制御手段は、
前記通常遊技状態では、前記判定処理で小当たりと判定されたことに基づく前記識別図柄が停止表示されてから前記特別入賞口の開放を示唆する示唆演出を開始可能である一方、前記特典遊技状態では、前記判定処理で小当たりと判定されたことに基づく前記識別図柄の変動表示中に前記示唆演出を開始可能であることを特徴とする遊技機である。
【手続補正８】
【補正対象書類名】明細書
【補正対象項目名】０００８
【補正方法】変更
【補正の内容】
【０００８】
本発明の遊技機によれば、小当たり遊技により開放される特別入賞口への入賞を逃し難くすることが可能である。
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
入球口と、
前記入球口への入球に基づいて取得された判定情報を所定の上限数まで記憶可能な記憶手段と、
前記判定情報に基づいて判定処理が行われると、その判定結果を示す識別図柄を変動表示可能な識別図柄表示手段と、
通常遊技状態又は前記通常遊技状態よりも前記入球口に遊技球が入球し易い特典遊技状態に制御可能な遊技状態制御手段と、
演出を制御可能な演出制御手段と、を備える遊技機において、
前記演出制御手段は、
前記特典遊技状態から前記通常遊技状態に移行したときに前記記憶手段に前記上限数の判定情報が記憶されている場合に、前記通常遊技状態に移行してから前記上限数の前記識別図柄の変動表示において予め定めた専用演出を実行可能であり、
前記専用演出の実行中に前記入球口に遊技球が入球した場合には、前記専用演出が終了した後に当該専用演出と同様の演出態様である再専用演出を実行する一方、
前記専用演出の実行後に前記入球口に遊技球が入球した場合には、前記再専用演出とは異なる所定演出を実行することを特徴とする遊技機。
【手続補正２】
【補正対象書類名】明細書
【補正対象項目名】０００７
【補正方法】変更
【補正の内容】
【０００７】
本発明の遊技機は、
入球口と、
前記入球口への入球に基づいて取得された判定情報を所定の上限数まで記憶可能な記憶手段と、
前記判定情報に基づいて判定処理が行われると、その判定結果を示す識別図柄を変動表示可能な識別図柄表示手段と、
通常遊技状態又は前記通常遊技状態よりも前記入球口に遊技球が入球し易い特典遊技状態に制御可能な遊技状態制御手段と、
演出を制御可能な演出制御手段と、を備える遊技機において、
前記演出制御手段は、
前記特典遊技状態から前記通常遊技状態に移行したときに前記記憶手段に前記上限数の判定情報が記憶されている場合に、前記通常遊技状態に移行してから前記上限数の前記識別図柄の変動表示において予め定めた専用演出を実行可能であり、
前記専用演出の実行中に前記入球口に遊技球が入球した場合には、前記専用演出が終了した後に当該専用演出と同様の演出態様である再専用演出を実行する一方、
前記専用演出の実行後に前記入球口に遊技球が入球した場合には、前記再専用演出とは異なる所定演出を実行することを特徴とする遊技機である。
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
複数の撮影装置により撮影される注目オブジェクトの位置を特定する特定手段と、
前記特定手段により特定される注目オブジェクトの位置に基づいて、前記複数の撮影装置のうち前記注目オブジェクトとは異なる特定オブジェクトを撮影する１以上の撮影装置により伝送される画像データのフレームレートが、前記複数の撮影装置のうち前記特定オブジェクトを撮影していない他の撮影装置により伝送される画像データのフレームレートよりも高くなるように、前記複数の撮影装置を制御する制御手段と、
を有することを特徴とする画像処理装置。
【請求項２】
前記制御手段は、前記特定手段により、前記注目オブジェクトが前記特定オブジェクトを含む特定領域に含まれることが特定された場合、前記１以上の撮影装置により伝送される画像データのフレームレートが、前記他の撮影装置により伝送される画像データのフレームレートよりも高くなるように、前記複数の撮影装置を制御することを特徴とする請求項１に記載の画像処理装置。
【請求項３】
前記制御手段は、前記特定手段により、前記注目オブジェクトが前記特定オブジェクトを含む特定領域に含まれることが特定された場合、前記１以上の撮影装置により伝送される画像データのフレームレートを、前記他の撮影装置により伝送される画像データのフレームレートよりも高いフレームレートになるように変更させることを特徴とする請求項２に記載の画像処理装置。
【請求項４】
前記制御手段は、前記１以上の撮影装置及び前記他の撮影装置が伝送する画像データのフレームレートを指定するための情報を送信し、
前記１以上の撮影装置及び前記他の撮影装置は、所定のフレームレートで撮影を行い、撮影に基づいて取得される画像データを、前記制御手段により送信された情報が示すフレームレートで伝送する
ことを特徴とする請求項１乃至３のいずれか１項に記載の画像処理装置。
【請求項５】
前記制御手段は、前記１以上の撮影装置及び前記他の撮影装置が伝送する画像データのフレームレートを指定するための情報を送信し、
前記１以上の撮影装置及び前記他の撮影装置は、前記制御手段により送信された情報が示すフレームレートで撮影を行う
ことを特徴とする請求項１乃至３のいずれか１項に記載の画像処理装置。
【請求項６】
前記特定オブジェクトは、前記複数の撮影装置により撮影されるフィールドにおけるフィールドラインであることを特徴とする請求項１乃至５のいずれか１項に記載の画像処理装置。
【請求項７】
前記１以上の撮影装置は、前記フィールドラインの延長上に設置された撮影装置であることを特徴とする請求項６に記載の画像処理装置。
【請求項８】
前記注目オブジェクトは、前記複数の撮影装置により撮影される動体であることを特徴とする請求項１乃至７のいずれか１項に記載の画像処理装置。
【請求項９】
前記動体は、前記複数の撮影装置により撮影されるボール又は人物であることを特徴とする請求項８に記載の画像処理装置。
【請求項１０】
前記複数の撮影装置から伝送される複数の画像データを使用して、仮想視点画像を生成する生成手段を有することを特徴とする請求項１乃至９のいずれか１項に記載の画像処理装置。
【請求項１１】
前記生成手段は、前記１以上の撮影装置により伝送される画像データのフレームレートに対応するフレームレートの仮想視点画像を生成することを特徴とする請求項１０に記載の画像処理装置。
【請求項１２】
前記生成手段は、前記１以上の撮影装置が画像データを伝送するフレームレートに対応し、且つ前記他の撮影装置が画像データを伝送するフレームレートに対応しない時刻における前記他の撮影装置に対応する画像データを、前記１以上の撮影装置から伝送される画像データに基づいて補間し、補間した画像データを含む複数の画像データに基づいて仮想視点画像を生成することを特徴とする請求項１１に記載の画像処理装置。
【請求項１３】
前記複数の撮影装置から伝送される複数の画像データに基づく仮想視点画像の生成に使用される仮想視点の視点位置を示す視点情報を取得する取得手段を有し、
前記制御手段は、前記特定手段により特定される注目オブジェクトの位置と、前記取得手段により取得される視点情報が示す仮想視点の視点位置とに基づいて特定される前記１以上の撮影装置により伝送される画像データのフレームレートが、前記他の撮影装置により伝送される画像データのフレームレートよりも高くなるように、前記複数の撮影装置を制御する
ことを特徴とする請求項１乃至１２のいずれか１項に記載の画像処理装置。
【請求項１４】
画像処理装置が行う制御方法であって、
複数の撮影装置により撮影される注目オブジェクトの位置を特定する特定工程と、
前記特定工程において特定される注目オブジェクトの位置に基づいて、前記複数の撮影装置のうち前記注目オブジェクトとは異なる特定オブジェクトを撮影する１以上の撮影装置により伝送される画像データのフレームレートが、前記複数の撮影装置のうち前記特定オブジェクトを撮影していない他の撮影装置により伝送される画像データのフレームレートよりも高くなるように、前記複数の撮影装置を制御する制御工程と、
を有することを特徴とする制御方法。
【請求項１５】
コンピュータを、請求項１から請求項１３のいずれか１項に記載の画像処理装置として機能させるためのプログラム。
【手続補正２】
【補正対象書類名】明細書
【補正対象項目名】発明の名称
【補正方法】変更
【補正の内容】
【発明の名称】画像処理装置およびその制御方法、プログラム
【手続補正３】
【補正対象書類名】明細書
【補正対象項目名】０００８
【補正方法】変更
【補正の内容】
【０００８】
本発明の一態様による画像処理装置は以下の構成を有する。すなわち、
複数の撮影装置により撮影される注目オブジェクトの位置を特定する特定手段と、
前記特定手段により特定される注目オブジェクトの位置に基づいて、前記複数の撮影装置のうち前記注目オブジェクトとは異なる特定オブジェクトを撮影する１以上の撮影装置により伝送される画像データのフレームレートが、前記複数の撮影装置のうち前記特定オブジェクトを撮影していない他の撮影装置により伝送される画像データのフレームレートよりも高くなるように、前記複数の撮影装置を制御する制御手段と、を有する。
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
アプリケーションをインストールして実行可能な操作部と本体部とを含み、前記操作部と前記本体部の間の接続と接続の解除とが可能な画像形成装置であって、
前記操作部は、
最後に接続された本体部の識別情報を保存する保存手段と、
接続されている本体部の識別情報と前記保存手段に保存された識別情報とが一致しない場合には、インストールされているアプリケーションを削除し、接続されている前記本体部を介してアプリケーションをインストールし直すインストール制御手段と
を有することを特徴とする画像形成装置。
【請求項２】
請求項１に記載の画像形成装置であって、
前記インストール制御手段によりインストールし直されるアプリケーションは、前記本体部により定められているアプリケーションであることを特徴とする画像形成装置。
【請求項３】
アプリケーションをインストールして実行可能な操作部と本体部とを含み、前記操作部と前記本体部の間の接続と接続の解除とが可能な画像形成装置であって、
前記操作部にインストールされているアプリケーションの識別情報と、該アプリケーションを前記操作部にインストールした際に接続されていた本体部とを関連付けるアプリケーション管理テーブルを保持する保持手段と、
前記アプリケーション管理テーブルに基づいて、前記操作部にインストールされている前記アプリケーションのうち、インストールした際に接続されていた前記本体部が、現在接続されている本体部と同じであるアプリケーションを有効化し、他を無効化する制御手段と
を有することを特徴とする画像形成装置。
【請求項４】
請求項３に記載の画像形成装置であって、
前記操作部が前記保持手段と前記制御手段とを有することを特徴とする画像形成装置。
【請求項５】
請求項３に記載の画像形成装置であって、
前記本体部が前記保持手段と前記制御手段とを有することを特徴とする画像形成装置。
【請求項６】
請求項３乃至５のいずれか一項に記載の画像形成装置であって、
前記制御手段は、前記アプリケーションの有効化及び無効化を、前記画像形成装置の起動時の処理として行うことを特徴とする画像形成装置。
【請求項７】
請求項３乃至６のいずれか一項に記載の画像形成装置であって、
前記アプリケーション管理テーブルにはさらに、無料のアプリケーションについては無料であることを示す情報を含み、
前記制御手段は、無料であることが示された前記アプリケーションについては、接続された前記本体部に関わらず有効化することを特徴とする画像形成装置。
【請求項８】
請求項３乃至７のいずれか一項に記載の画像形成装置であって、
前記アプリケーション管理テーブルにはさらに、複数の本体部で共通に利用可能なアプリケーションについては共通であることを示す情報を含み、
前記制御手段は、共通であることが示された前記アプリケーションについては、接続された前記本体部に関わらず有効化することを特徴とする画像形成装置。
【請求項９】
請求項３乃至８のいずれか一項に記載の画像形成装置であって、
前記アプリケーション管理テーブルにはさらに、前記アプリケーションをインストールした際に接続されていた本体部に加えて、前記アプリケーションを利用可能な本体部との関連付けを示し、
前記制御手段は、前記アプリケーション管理テーブルに基づいて、前記操作部にインストールされている前記アプリケーションのうち、インストールした際に接続されていた前記本体部と前記アプリケーションとの関連づけが示された本体部とが、現在接続されている本体部と同じであるアプリケーションを有効化し、他を無効化することを特徴とする画像形成装置。
【請求項１０】
請求項１または４に記載の画像形成装置の操作部としてコンピュータを機能させるためのプログラム。
【請求項１１】
請求項５に記載の画像形成装置の本体部としてコンピュータを機能させるためのプログラム。
【請求項１２】
アプリケーションをインストールして実行可能な操作部と本体部とを含み、前記操作部と前記本体部の間の接続と接続の解除とが可能な画像形成装置の制御方法であって、
保存手段が、最後に接続された本体部の識別情報を保存し、
制御手段が、接続されている前記本体部の識別情報と前記保存手段により保存された識別情報とが一致しない場合には、インストールされているアプリケーションを削除し、前記本体部を介してアプリケーションをインストールし直す
ことを特徴とする画像形成装置の制御方法。
【請求項１３】
アプリケーションをインストールして実行可能な操作部と本体部とを含み、前記操作部と前記本体部の間の接続と接続の解除とが可能な画像形成装置の制御方法であって、
保持手段が、前記操作部にインストールされているアプリケーションの識別情報と、該アプリケーションを前記操作部にインストールした際に接続されていた本体部とを関連付けるアプリケーション管理テーブルを保持し、
制御手段が、前記アプリケーション管理テーブルに基づいて、前記操作部にインストールされている前記アプリケーションのうち、インストールした際に接続されていた前記本体部が、現在接続されている本体部と同じであるアプリケーションを有効化し、他を無効化する
ことを特徴とする画像形成装置の制御方法。